(57)【特許請求の範囲】
【請求項１】
上流から流入した排水を貯留する貯留空間を有する貯留部と、
水平方向の幅寸法が鉛直方向の高さ寸法よりも長く形成され、前記貯留部の側部の上側において側方に向けて開口して排気管の側部に連通し、前記貯留部内の空気を前記排気管、及び前記排気管に接続される通気管を介して外部に排出可能な空気排出部と、
前記貯留部の排水を下流へ流出させる流出部と、
を有する貯留槽。
【請求項２】
前記貯留部は、前記流出部が前記排水の上流側よりも下方に位置するように傾斜している、請求項１に記載の貯留槽。
【請求項３】
前記貯留部は、上流からの排水が流入する流入部を備え、
前記空気排出部は、前記貯留部の流入部側、かつ、前記流入部よりも上方に形成されている、請求項１または請求項２に記載の貯留槽。
【請求項４】
前記空気排出部は、前記流入部と前記流出部との中央部よりも前記流入部側で、かつ、前記流入部と対向しない方向に開口している、請求項３に記載の貯留槽。
【請求項５】
前記空気排出部の下端は、水平に形成されている、請求項１〜請求項４の何れか１項に記載の貯留槽。
【請求項６】
前記空気排出部に連結される通気管を備え、
前記通気管の流路面積が前記空気排出部の流路面積以上である、
請求項１〜請求項５の何れか１項に記載の貯留槽。
【請求項７】
排水を排出する水廻り器具と、
請求項１〜請求項６の何れか１項に記載の貯留槽と、
前記水廻り器具からの排水を前記貯留部に流入させる配管と、
前記流出部に連結され前記流出部からの前記排水を横方向に排出する横引き管、及び前記横引き管よりも下流側に配置され、前記横引き管からの前記排水を流下させることによりサイホン力を発生させる竪管を含んで構成されるサイホン排水管と、
を有するサイホン排水システム。
【発明の詳細な説明】
【技術分野】
【０００１】
本発明は、排水を一時的に貯留して排出する貯留槽、及びサイホン排水システムに関する。
【背景技術】
【０００２】
例えば特許文献１に示すように、サイホン排水管のサイホン力を利用した排水システムにおいて、水廻り器具とサイホン排水管の横引き管との間に貯留槽を設け、水廻り器具からの排水をサイホンが開始するまで貯留槽に一時的に貯留する構成が知られている。
【先行技術文献】
【特許文献】
【０００３】
【特許文献１】特開２００６−３３６３２２号公報
【発明の概要】
【発明が解決しようとする課題】
【０００４】
特許文献１に示す排水システムでは、チャンバーと呼ばれる貯留槽の上面に、貯留槽内のエアを抜くためのエア抜きパイプが立設されている。このため、エア抜きパイプの高さ分だけ床下等の収容スペースの高さを高くする必要があり、床下等の収容スペースの高さを高くしない場合には、貯留槽の高さが低くなり、貯留槽の容量を十分に確保することが困難となるため、水平方向に寸法を拡大せざるを得ず、スペースが必要となる。
【０００５】
一般的に、居住スペースの高さを確保するため、床下の収納スペースの高さには制限がある。また、貯留槽からの排水の単位時間当たりの排出量を増加させることで、サイホン起動時間を短縮できるが、貯留槽の高さが抑えられると、貯留槽の流出部に作用する水圧が下がるため、貯留槽からの単位時間当たりの排出量が減少する。
【０００６】
本発明は、上記事実に鑑み、限られた高さのスペースにて貯留槽の高さを確保でき、排水の単位時間当たりの排出量を増加させることが可能な貯留槽、及び貯留槽を備えたサイホン排水システムを提供することを目的とする。
【課題を解決するための手段】
【０００７】
請求項１に記載の貯留槽は、上流から流入した排水を貯留する貯留空間を有する貯留部と、水平方向の幅寸法が鉛直方向の高さ寸法よりも長く形成され、前記貯留部の側部の上側において側方に向けて開口して排気管の側部に連通し、前記貯留部内の空気を前記排気管、及び前記排気管に接続される通気管を介して外部に排出可能な空気排出部と、前記貯留部の排水を下流へ流出させる流出部と、
を有する。
【０００８】
請求項１に記載の貯留槽によれば、貯留部には、上流側から排水が流入する。貯留部に排水が流入し、貯留部内の排水の水位が上昇するに伴って、貯留部内の空気が押されて空気排出部、排気管、及び通気管を介して外部に排出される。また、貯留部内に流入した排水は、流出部を介して下流へ流出される。
【０００９】
空気を排出する空気排出部は、貯留部の側部の上側において側方に向けて開口しているため、貯留部の上側に突出するものが無く、この貯留槽をスラブとスラブの上側に配置される床パネルとの隙間、言い換えれば、床下の空間に配置する場合、該隙間において、貯留部の上端を床パネル近傍まで接近させて貯留部の高さを高くすることが可能となる。これにより、貯留部内に流入させる排水の量を増やすことができる。
また、空気排出部は、水平方向の幅寸法を鉛直方向の高さ寸法よりも長く形成している。これにより、同じ開口面積の、例えば円孔の空気排出部に比較して、空気排出部の下端の位置を高くすることができ、貯留部内に溜まる排水の水位を高くして流出部に作用する水圧を高くすることができる。
請求項２に記載の発明は、請求項１に記載の貯留槽において、前記貯留部は、前記流出部が前記排水の上流側よりも下方に位置するように傾斜している。
【００１０】
請求項３に記載の発明は、請求項１または請求項２に記載の貯留槽において、前記貯留部は、上流からの排水が流入する流入部を備え、前記空気排出部は、前記貯留部の流入部側、かつ、前記流入部よりも上方に形成されている。
【００１１】
請求項３に記載の貯留槽では、上流からの排水が流入部から貯留部へ流入する。空気排出部は、貯留部の流入側、かつ流入部よりも上方に配置されているので、貯留部内に流入した排水が空気排出部へ入り難くなり、貯留部内の空気を空気排出部から効率的に排出することができ、その結果、排水を貯留部内に効率的に流入させることができる。
【００１２】
請求項４に記載の発明は、請求項３に記載の貯留槽において、前記空気排出部は、前記流入部と前記流出部との中央部よりも前記流入部側で、かつ、前記流入部と対向しない方向に開口している。
【００１３】
空気排出部を、流入部と流出部との中央部よりも流入部側で、かつ、流入部と対向しない方向に開口させることで、流入部から貯留部内に排出される排水の排水方向に空気排出部が位置しない構成となる。これにより、流入部から排出される排水の勢いで、排水が空気排出部に入り込むことが抑制される。
【００１４】
請求項５に記載の発明は、請求項１〜請求項４の何れか１項に記載の貯留槽において、前記空気排出部の下端は、水平に形成されている。
【００１５】
空気排出部の下端を水平に形成することで、空気排出部の下端は貯留部に貯留される排水の液面と平行となるため、空気排出部から排水を流さないように、貯留部内に貯留可能な排水の量を増大できる。
【００１６】
請求項６に記載の発明は、請求項１〜請求項５の何れか１項に記載の貯留槽において、前記空気排出部に連結される通気管を備え、前記通気管の流路面積が前記空気排出部の流路面積以上である。
【００１７】
請求項６に記載の貯留槽では、貯留部内の空気が、空気排出部、及び通気管を介して外部へ排出される。ここで、通気管の流路面積が空気排出部の流路面積以上とされているので、通気管の流路面積が空気排出部の流路面積未満の場合に比較して、空気が排出される際の抵抗を少なくすることができ、貯留部内の空気を効率的に排出することができる。
【００１８】
請求項７に記載のサイホン排水システムは、排水を排出する水廻り器具と、請求項１〜請求項６の何れか１項に記載の貯留槽と、前記水廻り器具からの排水を前記貯留部に流入させる配管と、前記流出部に連結され前記流出部からの前記排水を横方向に排出する横引き管、及び前記横引き管よりも下流側に配置され、前記横引き管からの前記排水を流下させることによりサイホン力を発生させる竪管を含んで構成されるサイホン排水管と、を有する。
【００１９】
請求項７に記載のサイホン排水システムでは、水廻り器具からの排水が、配管を介して貯留部に流入する。貯留部に流入した排水は流出部から排出され、流出部から排出された排水は、横引き管を横方向に流れ、その後、竪管を流下する。竪管内で排水が流下することによってサイホン力が発生し、効率的に排水を排出することができる。
【発明の効果】
【００２０】
本発明の貯留槽、及びサイホン排水システムによれば、限られた高さのスペースにて貯留槽の高さを確保でき、排水の単位時間当たりの排出量を増加させることが可能となる、という優れた効果を有する。これにより、サイホンの起動時間を短縮することが可能となる。
【図面の簡単な説明】
【００２１】
【図１】（Ａ）はサイホン排水システムの全体構成を示す側面図であり、（Ｂ）はサイホン排水システムの平面図である。
【図２】本発明の一実施形態に係る貯留槽を示す斜視図である。
【図３】貯留部の軸線に沿った縦断面図である。
【図４】貯留槽の上流側の一部分を示す分解斜視図である。
【図５】一部を断面にした通気管接続継手を示す斜視図である。
【図６】（Ａ）は通気管接続継手を示す縦断面図であり、（Ｂ）は通気管接続継手を示す側面図である。
【図７】流入部と開口部との鉛直方向の位置関係を示した側面図である。
【図８】（Ａ）、（Ｂ）は、空気排出部の変形例を示す通気管接続継手の側面図である。
【発明を実施するための形態】
【００２２】
本発明の貯留槽を用いたサイホン排水システムの一実施形態について、図１〜図６を用いて説明する。
【００２３】
図１（Ａ），（Ｂ）に示すように、サイホン排水システム１０は、複数の水廻り器具１２Ａ〜Ｃと、複数の水廻り器具１２Ａ〜Ｃから排出される排水を流す配管１４Ａ〜Ｃと、排水を一時的に貯留する貯留槽１６と、貯留槽１６の排水をサイホン力によって流すサイホン排水管１８Ａ〜Ｃとを含んで構成されている。サイホン排水管１８Ａ〜Ｃで流された排水は、合流継手２０を介して立て管２２に排出される。
【００２４】
サイホン排水管１８Ａは、スラブ２３に沿って配設される横引き管１８Ａａと、横引き管１８Ａａの下流側端部に連続する竪管１８Ａｂとを備えている。なお、他のサイホン排水管１８Ｂ、及びサイホン排水管１８Ｃも同様の構成である。横引き管１８Ａａは、貯留槽１６と接続され、スラブ２３上で水平方向に無勾配で配設されている。横引き管１８Ａａに連続する竪管１８Ａｂは、立て管２２に沿って下方向（鉛直方向下向き）に配設されている。
【００２５】
スラブ２３の上には、間隔をあけて床パネル２５が配置されており、床パネル２５の上に水廻り器具１２Ａ〜Ｃが配置されている。水廻り器具１２Ａ〜Ｃとは、例えば、浴槽、台所流し、及び食洗機等の排水を流すものであるが、洗面台、浴室防水パン等その他のものであってもよい。
【００２６】
図２に示すように、貯留槽１６は、複数の貯留部材２４、貯留部材２４の上流側の端部に取り付けられる貯留部接続継手２６、及び貯留部接続継手２６に取り付けられる通気管接続継手２８、接続パイプ４０を含んで構成されている。
【００２７】
（貯留部材）
貯留部材２４は、塩化ビニル樹脂等の合成樹脂から成る管状部材で構成されており、断面が円形状に形成された一定径で一直線状に延びる長尺状の本体部２４Ａを備えている。本体部２４Ａの下流側の端部の下端側には、断面が円形状で本体部２４Ａよりも小径に形成された流出部２４Ｂが一体的に形成されている。なお、本体部２４Ａの下流側の端部の上側部分は、長手方向外側に突出する湾曲面とされている。
【００２８】
流出部２４Ｂは、本体部２４Ａの下流側の端部から本体部２４Ａの軸線と平行に突出形成されており、サイホン排水管１８Ａの横引き管１８Ａａが接続されている。
【００２９】
図３に示すように、貯留部材２４の本体部２４Ａの内部には、排水を貯留する貯留空間３２が形成されている。貯留部材２４は、本体部２４Ａの軸心２４ＡＣＬが上流から下流に向かって下向きに傾斜するよう配置されており、貯留部材２４の内で流出部２４Ｂが最も下方に位置している。このため、流出部２４Ｂは、貯留空間３２に貯留された排水の水圧が最も高くなる部位となる。
【００３０】
（貯留部接続継手）  
図２に示すように、本実施形態の貯留槽１６では、同一形状の３個の貯留部材２４が並列に配置されており、隣接する貯留部材２４同士が貯留部接続継手２６、及び接続パイプ４０を介して互いに接続されている。
【００３１】
図４に示すように、貯留部接続継手２６は、貯留部材２４の本体部２４Ａの上流側の端部、言い換えれば、本体部２４Ａの流出部２４Ｂ側とは反対側の端部が挿入される円筒状の第１の接続部３４を備えている。貯留部接続継手２６は、第１の接続部３４の貯留部材２４側とは反対側の上側部分に円筒状の一対の第２の接続部３６を備え、下側部分に円筒状の流入部３８を備えている。なお、流入部３８の内径、及び第２の接続部３６の内径は、第１の接続部３４の内径よりも小径に形成されている。
【００３２】
図３に示すように、流入部３８の軸心３８ＣＬは、第１の接続部３４の軸心３４ＣＬと平行に設けられている。貯留部接続継手２６の流入部３８には、水廻り器具１２Ａ〜Ｃからの排水が排出される配管１４Ａ〜Ｃの下流側の端部が挿入される。
【００３３】
図４に示すように、第２の接続部３６の軸心３６ＣＬは、第１の接続部３４の軸心３４ＣＬとは直交する水平方向である。一方の第２の接続部３６は、第１の接続部３４の軸心を挟んで一方側に配置され、他方の第２の接続部３６は、第１の接続部３４の軸心を挟んで他方側に配置されており、一方の第２の接続部３６と他方の第２の接続部３６とは同軸的、かつ一直線上に配置されている。
【００３４】
貯留部材２４同士を接続するには、貯留部接続継手２６の第１の接続部３４に貯留部材２４の本体部２４Ａの端部を挿入し、互いに隣接する一方の貯留部接続継手２６の第２の接続部３６に接続パイプ４０の一端を挿入し、他方の貯留部接続継手２６の第２の接続部３６に接続パイプ４０の他端を挿入する。これにより、貯留部接続継手２６を介して貯留部材２４同士を簡単に接続することができる。
【００３５】
本実施形態では、３つの貯留部接続継手２６が一方向に並ぶように接続され、これにより３つの貯留部材２４が互いに接続されている。なお、３つの貯留部材２４は、各々の貯留空間３２が貯留部接続継手２６、及び接続パイプ４０を介して互いに連通している。したがって、何れかの貯留部材２４内の排水の水位が第２の接続部３６の内周の下端の高さまで上昇すると、第２の接続部３６、及び接続パイプ４０を通して隣接する他の貯留部材２４内へと排水が越流する。
【００３６】
図２に示すように、矢印Ｌ方向側の貯留部接続継手２６においては、矢印Ｌ方向側の第２の接続部３６が蓋４２で閉塞されている。また、矢印Ｒ方向側の貯留部接続継手２６においては、矢印Ｒ方向側の第２の接続部３６に、以下に説明する通気管接続継手２８が接続されている。
【００３７】
なお、本実施形態の貯留槽１６において、貯留部材２４、貯留部接続継手２６、通気管接続継手２８、及び接続パイプ４０が本発明の貯留部に相当しており、これらの内部空間が、本発明の貯留空間に相当している。
【００３８】
（通気管接続継手）
図５に示すように、通気管接続継手２８は、貯留部接続継手２６の第２の接続部３６に挿入される円筒状の接続部４３を備えている。図５、及び図６に示すように、接続部４３の長手方向一端部は、円板状の閉塞壁４４で塞がれており、閉塞壁４４の上部に円筒状に形成された排気管４６の軸方向中央部分が一体的に形成されている。
【００３９】
排気管４６の軸心４６ＣＬは、第１の接続部３４の軸心３４ＣＬと直交している。本実施形態では、排気管４６の軸心４６ＣＬが水平となるように、通気管接続継手２８が貯留部接続継手２６に接続されている。
【００４０】
図３、図５、及び図６に示すように、通気管接続継手２８の内部には、貯留部材２４、貯留部接続継手２６、通気管接続継手２８、及び接続パイプ４０で形成される貯留空間と排気管４６の内部空間とを連通する開口部４８が、該貯留空間と該内部空間との間に形成されている。開口部４８は、通気管接続継手２８の閉塞壁４４の最上部分に開口しているので、前記貯留空間は、上部が排気管４６の内部空間と連通していることになる。
【００４１】
図６（Ｂ）に示すように、開口部４８は、上端部が接続部４３の内周面に沿った円弧形状に形成され、下端部が水平方向に延びた直線形状に形成されている。言い換えれば、開口部４８の下端は、貯留部材２４に一時的に貯留される排水の水面ＷＳと平行となる。そして、開口部４８は、水平方向の幅寸法Ｗが鉛直方向の高さ寸法（最大高さ）Ｈよりも長く形成されている。なお、上記幅寸法Ｗ、及び高さ寸法Ｈは、貯留槽１６の設置状態で、開口部４８の開口部分を正面視して計測した際の寸法、言い換えれば、開口部４８の形成されている閉塞壁４４の壁面に対して垂直な方向から見て計測した際の寸法である。
【００４２】
開口部４８は、排気管４６に対して、排気管４６の軸心４６ＣＬから上側に形成されている。なお、排気管４６の流路面積、言い換えれば、排気管４６の内側の空間部分の長手方向に直交する方向の断面積は、開口部４８の開口面積以上に設定されている。
【００４３】
図６に示すように、排気管４６の接続部４３側の外周面には、開口部４８の下端に沿って、排気管４６の径方向外側へ向けて延びる返し部５０が水平に形成されている。
【００４４】
排気管４６の両端部には、内径が排気管４６と同径で、外径が排気管４６よりも若干小径とされた通気管接続部４６Ａが形成されている。図２に示すように、上流側である矢印Ａ方向側の通気管接続部４６Ａは、キャップ５２で閉塞されている。一方、下流側である矢印Ｂ方向側の通気管接続部４６Ａには、接続パイプ５４を介して通気管５６の一端が接続されている。図１に示すように、通気管５６の他端は、合流継手２０に接続されており、通気管５６と立て管２２とが連通している。
【００４５】
これにより、貯留部材２４、貯留部接続継手２６、通気管接続継手２８、及び接続パイプ４０の内部の空気を、排気管４６、及び通気管５６を介して、本実施形態では、立て管２２に排出することができる。
【００４６】
（作用）
次に、本実施形態のサイホン排水システム１０の作用を説明する。
一例として、水廻り器具１２Ａからの排水が配管１４Ａから排出されると、排水は一時的に貯留部材２４に貯留されると共に、一部が貯留部材２４を介してサイホン排水管１８Ａに流れる。
【００４７】
貯留部材２４は、排水の流入する流入部３８側が、排水が排出される流出部２４Ｂ側よりも上側となるように傾斜している、言い換えれば、流出部２４Ｂ側が流入部３８側よりも下方となるように傾斜しているため、排水は貯留部材２４の中を流入部３８側から流出部２４Ｂ側へ流れ、かつ、流出部２４Ｂ側から溜まり初め、流入部３８側よりも流出部２４Ｂ側の水深が深くなる。
【００４８】
そして、貯留部材２４に排水が流入して貯留部内の排水の水位が上昇するに伴い、貯留部内の空気は押されて貯留槽１６の側部の最上部に開口する開口部４８、通気管５６、及び合流継手２０を介して立て管２２に排出される。これにより、貯留部材２４内に迅速、かつ効率的に排水を流入させることができる。
【００４９】
貯留部材２４内の空気を排出するための開口部４８は、貯留部材２４の側方の上側に開口しており、開口部４８に連通する排気管４６は開口部４８の側部に設けられ貯留槽１６の上方に突出していないので、スラブ２３と床パネル２５との間の隙間、言い換えれば、床下の空間において、貯留部材２４の上端を床パネル２５近傍まで接近させて貯留部材２４の高さを最大限高くすることができる。
【００５０】
上記のように開口部４８を設けることで、貯留部材２４内に一時的に貯留する排水の水位を高くして貯留部材２４内に流入させる排水の量を増やすことができる。
【００５１】
さらに、開口部４８は、水平方向の幅寸法Ｗを鉛直方向の高さ寸法Ｈよりも長く形成している。これにより、同じ開口面積の、例えば円孔の空気排出部に比較して、開口部４８の下端の位置を高くすることができ、排水の水位を高くして流出部２４Ｂに作用する水圧を高くすることができる。このように流出部２４Ｂに作用する水圧が高くなることで、サイホン排水管１８Ａに流れ込む単位時間当たりの排水の量が増え、竪管１８Ａｂに排水が流れ込んで生ずるサイホン力の起動が速くなる。竪管１８Ａｂにサイホン力が発生することで、貯留部材２４内の排水を効率的に立て管２２に排出することが可能となる。
【００５２】
貯留部材２４内に排水が流入することで、排水の水面ＳＷが波打つ場合があるが、開口部４８の下端に貯留部材２４側に突出する返し部５０が設けられており、返し部５０の下面に波の山が当たることで、波の山が貯留部材２４側に返される。これにより、排水が開口部４８の下端を超え難くなり、通気管５６に排水が進入することが抑制される。
【００５３】
なお、開口部４８は、排水が流入する貯留部材２４の流入部３８側、より詳細には、流入部３８と流出部２４Ｂとの中央部よりも流入部３８側、かつ、流入部３８よりも上方に形成されており、流入部３８から流入した排水の向きに対して、開口部４８が異なる方向に開口している、言い換えれば、開口部４８が流入部３８と対面していない。これにより、貯留部材２４内に流入した排水が勢いで開口部４８へ入り難くなり、貯留部材２４内の空気を開口部４８から効率的に排出することができ、その結果、排水を貯留部材２４内に効率的に流入させることができる。
【００５４】
本実施形態の開口部４８は、下端が水平に形成されているので、開口部４８の下端を貯留部材２４に一時的に貯留される排水の水面と平行となる。したがって、開口部４８から排水を流さないように、貯留部材２４内に貯留可能な排水の量を増大できる。
【００５５】
この貯留槽１６では、貯留部材２４内の空気が、開口部４８、及び通気管５６を介して立て管２２に排出されるが、通気管５６の通路の流路面積が開口部４８の流路面積以上とされているので、通気管５６の流路面積が開口部４８の流路面積未満の場合に比較して、空気が排出される際の抵抗を少なくすることができ、貯留部材２４内の空気を効率的に排出することができる。
【００５６】
なお、水廻り器具１２Ｂの排水が流入する貯留部材２４、及び水廻り器具１２Ｃの排水が流入する貯留部材２４においても、上記水廻り器具１２Ａの排水が流入する貯留部材２４と同様の作用効果が得られる。
【００５７】
本実施形態の貯留槽１６においては、３個の貯留部材２４の貯留空間３２が、それぞれ貯留部接続継手２６、及び接続パイプ４０を介して互いに連通されているため、何れかの貯留部材２４内の排水の水面ＷＳが貯留部接続継手２６の第２の接続部３６の下端を超えた場合に、排水を隣接する他の貯留部材２４に流出させることができるとともに、第２の接続部３６、及び接続パイプ４０によってそれぞれの貯留部材２４内の空気を開口部４８から排出することができる。
【００５８】
なお、開口部４８と流入部３８との鉛直方向の位置関係としては、図７の実線で示すように、開口部４８は、流入部３８の開口部分の上端を通る仮想水平面ＦＬよりも上側に配置することが好ましい。開口部４８が、図７の２点鎖線で示すように仮想水平面ＦＬよりも下側に配置される場合、流入部３８から排出された排水が開口部４８に流入し易くなる。
【００５９】
（その他の実施形態）
なお、本発明について実施形態の一例を説明したが、本発明はかかる実施形態に限定されるものではなく、本発明の範囲内にて他の種々の実施形態が可能である。
【００６０】
上記実施形態の貯留槽１６においては、３個の貯留部材２４を備えていたが、水廻り器具の数に応じて、貯留部材２４の数は適宜増減できる。
【００６１】
貯留部材２４は、管状部材で構成され、断面が円形状に形成された一定径で一直線状に延びる長尺状の本体部２４Ａを備えていたが、貯留部材２４の断面形状は円形に限らず、矩形等、他の形状であってもよい。
【００６２】
上記実施形態では、開口部４８が貯留部接続継手２６に設けられていたが、本発明はこれに限らず、開口部４８は貯留部材２４の側部に設けられていてもよい。この場合、貯留部材２４の長手方向中央部よりも流入部３８側に設けることが好ましい。
【００６３】
なお、開口部４８は、貯留部接続継手２６に設けてもよい。この場合、開口部４８は流入部３８よりも上側に設けることが好ましい。
【００６４】
上記実施形態の貯留槽１６では、本発明の空気排出部として、開口部４８が１個設けられていたが、開口部４８は複数設けられていてもよい。空気排出部は、単一の開口部４８に限らず、例えば、図８（Ａ）に示すように開口部４８を複数個に分割してもよく、図８（Ｂ）に示すように、大きさの異なる複数の円形の孔５８から構成されていてもよい。図７（Ｂ）に示すように空気排出部が複数の孔５８から構成されている場合、空気排出部の幅寸法Ｗとは、水平方向の一方側の孔５８の一方側の端部から他方側の孔５８の他方側の端部までの水平方向に計測した寸法であり、高さ寸法Ｈは、鉛直方向の寸法が最も長い部分の寸法である。また、空気排出部を、例えば、複数の孔５８から構成する場合、各々の孔５８の下端の位置は、水平方向に揃えることが好ましい。なお、開口部４８、及び孔５８の形状は、楕円、長方形、偏平形状等、種々の形態をとることができる。
【００６５】
上記実施形態では、通気管接続継手２８が矢印Ｒ方向側の貯留部接続継手２６に取り付けられていたが、矢印Ｌ方向側の貯留部接続継手２６に取り付けることもできる。
【符号の説明】
【００６６】
１０…サイホン排水システム、１２Ａ〜Ｃ…水廻り器具、１４Ａ〜Ｃ…配管、１６…貯留槽、１６Ａ〜Ｃ…サイホン排水管、２４…貯留部材（貯留部）、２４Ｂ…流出部、２６…貯留部接続継手（貯留部）、２８…通気管接続継手（貯留部）、３８…流入部、４０…接続パイプ（貯留部）、４８…開口部（空気排出部）、５６…通気管、
【図１】
0006722999.tif 000002
【図２】
0006722999.tif 000003
【図３】
0006722999.tif 000004
【図４】
0006722999.tif 000005
【図５】
0006722999.tif 000006
【図６】
0006722999.tif 000007
【図７】
0006722999.tif 000008
【図８】
0006722999.tif 000009